(57)【要約】【課題】液晶パネルなどの薄型表示装置の透光性の平板（Ｐ）  を振動板として利用する振動モード型のパネル型スピーカにおいて、平板に付着した塵埃を除去したり、傷が発見された平板を交換したりすることが容易なパネル型スピーカを提供する。【解決手段】本発明のパネル型スピーカは、表示パネル（Ｌ）  、この表示パネルの前方に配置される透光性の平板（Ｐ）  および表示パネルと透光性の平板とを着脱自在に結合させる結合手段（Ｑ１，Ｑ２）  を備えた薄型表示装置と組合せられると共に、磁気回路、ボイスコイルおよびこのボイスコイルを保持するボビン（ｂ）  を有し上記薄型表示装置の表示パネルに隣接して配置される可動線輪型のエキサイタ（Ｅ）  ならびにこのエキサイタ（Ｅ）  により励振されて撓み振動を発生させる振動板であって上記薄型表示装置の透光性の平板（Ｐ）  を兼ねるものを備えた振動モード方式のパネル型スピーカである。そして、上記エキサイタ（Ｅ）  は、上記薄型表示装置の表示パネルに固定され、上記振動板はこの表示パネルに固定されたエキサイタ（Ｅ）  に対して着脱自在に結合されている。【選択図】図１
2004312643.tif 000002
【特許請求の範囲】
【請求項１】
表示パネル、この表示パネルの前方に配置される透光性の平板および前記表示パネルと前記透光性の平板とを着脱自在に結合させる結合手段を備えた薄型表示装置と組合せられると共に、磁気回路、ボイスコイルおよびこのボイスコイルを保持するボビンを有し前記薄型表示装置の表示パネルに隣接して配置される可動線輪型のエキサイタ並びにこのエキサイタにより励振されて撓み振動を発生させる振動板であって前記薄型表示装置の透光性の平板を兼ねるものを備えた振動モード方式のパネル型スピーカにおいて、
前記エキサイタは前記薄型表示装置の表示パネルに固定され、前記振動板はこの表示パネルに固定されたエキサイタに対して着脱自在に結合されたことを特徴とするパネル型スピーカ。
【請求項２】
表示パネル、この表示パネルの前方に配置される透光性の平板および前記表示パネルに結合されるフレームを備えた薄型表示装置と組合せられると共に、磁気回路、ボイスコイルおよびこのボイスコイルを保持するボビンを有し前記薄型表示装置の表示パネルに隣接して配置される可動線輪型のエキサイタ並びに前記エキサイタにより励振されて撓み振動を発生させる振動板であって前記薄型表示装置の透光性の平板を兼ねるものを備えた振動モード方式のパネル型スピーカにおいて、
前記エキサイタと前記振動板は前記薄型表示装置のフレームに固定され、このフレームは前記表示パネルに着脱自在に結合されたことを特徴とするパネル型スピーカ。
【請求項３】
請求項２において、
前記エキサイタの振動板の前方に配置される前記フレームには、放音孔が形成されたことを特徴とするパネル型スピーカ。
【請求項４】
請求項３において、
前記エキサイタの後方に配置される保護カバーにも放音孔が形成されたことを特徴とするパネル型スピーカ。
【請求項５】
請求項１乃至４のそれぞれにおいて、
前記表示パネルの周辺部と前記透光性の平板との間に形成される空隙を塞ぐ弾性体の防塵壁が形成されたことを特徴とするパネル型スピーカ。
【発明の詳細な説明】
【０００１】
【発明の属する技術分野】
本発明は、振動モード（ＤＭ）方式のパネル型スピーカに関するものであり、特に、液晶表示装置やプラズマ表示装置などの薄型の表示装置に適したパネル型スピーカに関するものである。
【０００２】
【従来の技術】
本出願人は、すでに、振動モード（ＤＭ）型のパネル型スピーカについて、いくつかの特許出願をしてきた（特許文献１，２，３）。この振動モード型のスピーカは、周辺部を柔らかな弾性体を介して固定した平板（パネル）の裏面にエキサイタのボイスコイルを保持するボビンの先端面を取付け、このエキサイタの磁気回路を同じく柔らかめの弾性体を介してケースなどに固定した構造を有する。
【０００３】
ボビンの往復動により、このボビンの先端面に固定されているパネルに撓み振動が励振される。この種の発音方式はパネルの前後の往復動よりも、その撓み振動を発音の主体とすることから、分布モード（Ｄｉｓｔｒｉｂｕｔｅｄ  Ｍｏｄｅ：ＤＭ  ）方式、あるいは振動モード方式と称される。この振動モード方式のパネル型スピーカの利点は、高音質と薄型の構造とを実現できる点などにある。
【０００４】
さらに、本出願人は、液晶パネルやプラズマ・パネルのなどの薄型表示装置との組合せに適したパネル型スピーカについても、すでに特許出願済みである（特許文献４）。このパネル型スピーカは、薄型表示装置の前面に配置される保護カバーや偏光フィルタなどの透光性の平板（パネル）を振動モード（ＤＭ）方式のパネル型スピーカの振動板と兼用するように構成されている。
【０００５】
【特許文献１】
特開平１０─２４３４９１号公報（図１─図３）
【特許文献２】
特開平１１─３３１９６６号公報（図１─図２）
【特許文献３】
特開平１１─３３１９６９号公報（図１─図３）
【特許文献４】
特開２００１−１８９９７８号公報（図１−図５）。
【０００６】
【発明が解決しようとする課題】
上記特許文献４に開示した振動モード方式のパネル型スピーカでは、薄型表示装置の透光性の平板の周辺部分の裏面に固定されるエキサイタなどを隠すためにこの周辺部分に着色が施されている。このため、この周辺部分の内面に塵埃が付着していてもこの部分に施された着色に隠されてしまい、その存在が見落とされてしまう。そのようなはじめは周辺部分に付着していた塵埃が、振動板の撓み振動によって次第に透明の中心部分に移動して目につくようになり、表示画面の質を低下させるという問題が発生した。
【０００７】
振動板の中央部分の裏面に移動した塵埃を拭き取るには、この振動板を薄型表示装置の本体部からいったん取り外す必要がある。しかし、この振動板が、薄型表示装置の本体部に接着などによって固定されたエキサイタのボビンの先端面に、同じく接着などによって固定されているため、この振動板を本体部から取り外すことができない。
【０００８】
また、組み立てと出荷との間に、振動板を兼ねる透光性の平板に傷がついたりもともと付いていた傷が発見された場合でも、この振動板が表示パネルの本体に固定されているため、不良品の振動板だけを交換することができないという問題も生じた。従って、本発明の一つの目的は振動板の内面に付着した塵埃を拭き取ったり、傷がついたりした不良品の振動板だけを交換したりするために、薄型表示装置の液晶パネルやプラズマパネルなどの表示パネルから振動板を容易に取り外すことができるパネル型スピーカを提供することにある。
【０００９】
【課題を解決するための手段】
上記従来技術の課題を解決する本第１の発明のパネル型スピーカは、表示パネル、この表示パネルの前方に配置される透光性の平板および表示パネルと透光性の平板とを着脱自在に結合させる結合手段を備えた薄型表示装置と組合せて使用される。このパネル型スピーカは、磁気回路、ボイスコイルおよびこのボイスコイルを保持するボビンを有し薄型表示装置に隣接して配置される可動線輪型のエキサイタ並びにこのエキサイタにより励振されて撓み振動を発生させる振動板であって薄型表示装置の透光性の平板を兼ねるものを備えた振動モード方式のものである。そして、このパネル型スピーカを構成する上記エキサイタは、薄型表示装置の表示パネルに固定され、他方の振動板はこの表示パネルに固定されたエキサイタに対して着脱自在に結合されることにより、振動板を薄型表示装置の表示パネルから容易に取り外しできるように構成されている。
【００１０】
本第２の発明のパネル型スピーカは、これと組合せて使用される薄型表示装置のフレームに固定され、このフレームが薄型表示装置の表示パネルに着脱自在に結合されることにより、振動板をフレームと共に薄型表示装置の表示パネルから容易に取り外すことが可能なように構成されている。
【００１１】
【発明の実施の形態】
上記第２の発明の好適な実施の形態によれば、エキサイタの振動板の前方に位置するフレームの部分に放音孔が形成されることにより、高音域の音声信号がフレームによって遮断される事態を回避し、良質な音声を発生させることができるような配慮がなされている。
【００１２】
上記第２の発明の他の好適な実施の形態によれば、エキサイタの後方に配置される保護カバーにも放音孔が形成されることにより、周波数に依存した音声レベルの変動が軽減されて良質な音声が発生されるように構成されている。
【００１３】
上記第１，第２の発明の好適な実施の形態によれば、前記表示パネルの周辺部と前記透光性の平板との間に形成される空隙を塞ぐ弾性体の防塵壁が形成されることにより、防塵効果がさらに高められるように構成されている。
【００１４】
【実施例】
図１は、本発明の一実施例のパネル型スピーカの構成を薄型表示装置と共に示す部分正面図（Ａ）と部分断面図（Ｂ１  ，Ｂ２  ，Ｃ１  ，Ｃ２  ）である。この薄型表示装置は、液晶パネルなどから成る表示パネルＬと、この表示パネルＬを囲むシャーシＳと、表示パネルＬの前方に配置される保護用の透光性の平板Ｐと、この平板Ｐを表示パネルＬに着脱自在に結合する結合部材Ｑ１  ，Ｑ２  とを備えている。
【００１５】
図１の部分断面図（Ｂ１  ，Ｂ２  ）を参照すると、薄型表示装置の表示パネルＬの左右の側部とシャーシＳとの間に、このパネル型スピーカを形成する可動線輪型のエキサイタＥが、取付け金具Ｇとクッションｃとを介在させながら固定されている。このエキサイタＥは、上述した特許文献１乃至４のそれぞれに開示されたように、一方の端面が閉じた円筒形状の外部ヨークと、この外部ヨークの底面上に接着剤層を介して積層された円盤形状の永久磁石と内部ヨークとから成り、この内部ヨークの外周面と外部ヨークの上端部の内周面との間に円環形状の磁気ギャップを形成する磁気回路を備えている。そして、この磁気回路の磁気ギャップ中をボビンｂに保持されたボイスコイルが振動するという構造の可動線輪型のエキサイタが形成される。この磁気回路の外部ヨークの外周面は、クッションｃを介在させながら表示パネルＬに固定された取付け金具Ｇに保持されている。
【００１６】
可動線輪型のエキサイタＥを構成するボビンｂの先端部分は、再び図１の部分断面図（Ｂ１  ）と（Ｂ２  ）とを参照すると、振動伝達体ｔ１  ，ｔ２  と、これら振動伝達体ｔ１  ，ｔ２  を結合させるネジｓとによってパネル型スピーカの振動板を兼ねる透光性の平板Ｐに着脱自在に結合されている。部分断面図（Ｂ１  ）は、パネル型スピーカの振動板を兼ねる透光性の平板Ｐを、ネジｓによってエキサイタＥに固定した状態を示している。これに対して、部分断面図（Ｂ２  ）は、ネジｓを取り外すことにより、透光性の平板ＰをエキサイタタＥとの結合状態から解除した状態を示している。
【００１７】
透光性の平板Ｐと薄型表示装置の表示パネルＬとの着脱自在の結合は、図１の部分断面図（Ｃ１  ）、（Ｃ２  ）を参照すると、矩形状の表示パネルＬの四隅において、結合部材Ｑ１  ，Ｑ２  を用いておこなわれる。結合部材Ｑ１  は、円盤形状の基板とその中央部分に形成された円柱形状の突起とから構成されており、取付け金具ｇによって薄型表示装置の表示パネルＬに固定されている。
【００１８】
この結合部材Ｑ１  に着脱自在に結合される結合部材Ｑ２  は、円環形状を呈しており、その中央部に形成された円形の開口内に、結合部材Ｑ１  の中央に形成された円柱形状の突起が挿入される。結合部材Ｑ２  の周辺部分には柔らかめのクッションｑを介在させながら振動板を兼ねる透光性の平板Ｐが結合されている。部分断面図（Ｃ１  ）は平板Ｐが本体部Ｌに取付けられた状態を示しており、部分断面図（Ｃ２  ）は平板Ｐが本体部Ｌから取りはずされた状態を示している。
【００１９】
このように、図１の部分断面図（Ｂ１  ）、（Ｂ２  ）、（Ｃ１  ）、（Ｃ２  ）を参照すると、パネル型スピーカの振動板を兼ねる透光性の平板Ｐは、表示パネルＬと、この表示パネルＬに取付け金具Ｇによって固定されたエキサイタＥとに着脱自在に取付けられる。従って、透光性の平板Ｐの中央部分に塵埃や傷が発見された場合には、この平板Ｐを表示パネルＬから取り外して塵埃を除去したり、良品の平板と交換したりすることを容易に行うことができる。
【００２０】
エキサイタＥのボイスコイルに音声信号が印加されると、これを保持するボビンｂが磁気回路内の磁気ギャップ中を振動し、このパネル型スピーカの振動板を兼ねる平板Ｐに振動が伝達される。この伝達された振動によって平板Ｐに撓み振動が励振され、平板Ｐは前後の振動よりも撓み振動が優勢な発音体として機能する。
【００２１】
図２は、本第２の発明のパネル型スピーカの一実施例の構成を示す部分正面図（Ａ）と部分断面図（Ｂ，Ｃ）である。このパネル型スピーカは、液晶パネルなどから成る表示パネルＬと、この表示パネルＬの周辺部を囲みこの表示パネルＬに着脱自在に取付けられるフレームＦと、表示パネルＬの前方に配置される保護用の透光性の平板Ｐとを備えている。矩形状の平板Ｐは、その四隅において、柔らかめの弾性を有するクッションｑを介在させながらフレームＦに接着材によって固定されている。
【００２２】
フレームＦの左右の端の表示パネルＬに対向する面上には、それぞれ２本の円筒形状のポストｈ１  が植設されている。２本のポストｈ１  のそれぞれの先端部には、各ポストｈ１  の内周面に形成されたネジ溝に螺合せしめられるネジｊによって取付け板ｈ２  が固定されている。この取付け板ｈ２  の中央部分には円形の開口が形成され、この開口の周縁部には、柔らかめの弾性を有する円環形状のクッションｃを介在させながら、可動線輪型のエキサイタＥの外部ヨークが接着によって固定されている。このエキサイタＥのボイスコイルを保持するボビンｂの先端部分が透光性の平板Ｐに接着固定されている。
【００２３】
このように、図２の（Ａ）、（Ｂ）、（Ｃ）を参照すると、パネル型スピーカの振動板を兼ねる透光性の平板Ｐは、表示パネルＬに着脱自在取付けられるフレームＦに固定されることにより、フレームごと表示パネルＬに着脱自在に取付けられる。従って、透光性の平板Ｐの中央部分に塵埃や傷が発見された場合には、フレームごと表示パネルＬから取り外して塵埃を除去したり、フレームへの固定を解除することによって良品の平板と交換したりすることを容易に行うことができる。
【００２４】
エキサイタＥのボイスコイルに音声信号が印加されると、これを保持するボビンｂが磁気回路内の磁気ギャップ中を振動し、このパネル型スピーカの振動板を兼ねる平板Ｐに振動が伝達される。この伝達された振動によって平板Ｐに撓み振動が励振され、平板Ｐは前後の振動よりも撓み振動が優勢な発音体として機能する。
【００２５】
この実施例では、エキサイタＥと振動板を兼ねる透光性の平板Ｐとから成るパネル型スピーカは、フレームＦの裏側に固定される。このため、振動板Ｐが発生する音が前方のフレームＦによって遮られてしまう。この問題点を解決するため、パネル型スピーカの前方に位置するフレームＦには複数の矩形状の放音孔ｒが形成される。
【００２６】
図３は、図２のパネル型スピーカの放音特性を示す実験データである。この実験データは、パネル型スピーカのエキサイタの前方における音圧レベルの周波数特性であり、周波数（Ｈｚ）を横軸に、音圧レベル（ｄＢ）を縦軸にしてプロットしたものである。実線のデータは、図２に示すように放音孔ｒを形成した場合の音圧レベルの周波数特性、点線のデータは、比較のためにそのような放音孔を形成しない場合の音圧レベルの周波数特性である。放音孔ｒを形成することにより、９ｋＨｚ  以上の高域の音が前方のフレームによって遮断されることなく薄型表示装置の前方に放出されていることが判る。
【００２７】
図４は、本第２の発明のパネル型スピーカの他の実施例の構成を薄型表示装置と共に示す部分正面図（Ａ）と部分断面図（Ｂ，Ｃ）および背面図（Ｄ）である。図４中、図２と同一の参照符号を付した構成要素は、図２に関して既に説明したものと同一の構成要素であり、これらの構成要素については重複する説明を省略する。この実施例のパネル型スピーカと、図２に示した実施例のパネル型スピーカとの差異は、エキサイタＥの後方に表示パネルＬやパネル型スピーカを外力や塵埃から保護するための保護カバーＵが形成されるとともに、この保護カバーＵにも放音孔ｒが形成されている点である。エキサイタＥの前方のフレームＦと後方の保護カバーＵに形成される放音孔ｒは、この実施例のように同一形状、同一寸法を有していてもよいし、あるいは、互いに異なる形状、寸法を有していてもよい。
【００２８】
図５は、図４のパネル型スピーカの放音特性を示す実験データである。この実験データは、パネル型スピーカのエキサイタの前方における音圧レベルの周波数特性であり、周波数（Ｈｚ）を横軸に、音圧レベル（ｄＢ）を縦軸にしてプロットしたものである。実線のデータは、図４に示すように、エキサイタＥの後方に配置される保護カバーＵに放音孔ｒを形成した場合の音圧レベルの周波数特性である。これに対して、比較のために示す点線のデータは、そのような放音孔ｒを保護カバーＵに形成しない場合の音圧レベルの周波数特性である。放音孔ｒを後方の保護カバーＵにも形成することにより、１ｋＨｚ  以下の音域における音圧レベルの周波数に依存した変動量が軽減されていることが判る。
【００２９】
これは、エキサイタＥの後方から放射された音が保護カバーＵで反射されて前方に伝播し、エキサイタＥから直接前方に放射された音と干渉する現象が生じており、この後方の保護カバーＵによる反射波のレベルが放音孔の形成によって低減されたことによるものと推定される。
【００３０】
図６は、塵埃の移動の防止をさらに徹底させるために、図１の実施例に関して説明した構造に対して防塵壁を追加した構成を示している。図６の（Ｂ１  ）、（Ｂ２  ）は、それぞれ図１の（Ｂ１  ）、（Ｂ２  ）に対応している。すなわち、図６の（Ｂ１  ）は振動板ＰをエキサイタＥに結合した状態を示しており、（Ｂ２  ）はこの両者の結合を解除した状態を示している。この防塵壁ｗは、柔らかな弾性体を素材としており、振動板Ｐの内面と表示パネルＬとの間にそれぞれの間に形成される空間の一部を塞ぐように形成される。この防塵壁ｗは、振動板Ｐの内面に接着剤で固定され、振動板Ｐの内面に付着した塵埃が振動板Ｐの周辺部からその中央部に移動するのを阻止する。
【００３１】
図７は、塵埃の移動の防止をさらに徹底させるために、図２の実施例に関して説明した構造に防塵壁を追加した構成を示している。図７の（Ｃ１  ）、（Ｃ２  ）はそれぞれ図２の（Ｃ１  ）、（Ｃ２  ）に対応している。すなわち、図７の（Ｃ１  ）は振動板ＰをエキサイタＥに結合した状態を示しており、（Ｃ２  ）はこの両者の結合を解除した状態を示している。この防塵壁ｗは、柔らかな弾性体を素材としており、振動板Ｐの内面と表示パネルＬとの間に形成される。この防塵壁ｗは、振動板Ｐの内面に接着剤で固定され、振動板Ｐの内面に付着した塵埃が振動板Ｐの周辺部からその中央部に移動するのを阻止する。
【００３２】
以上、エキサイタを薄型表示装置の左右に１個ずつ配置する場合を例示した。しかしながら、モノラルの場合などにおいて必要に応じてどちらかに１個、あるいは上下に１個ずつ配置する場合などにも本発明を適用できる。
【００３３】
【発明の効果】
以上詳細に説明したように、本第１の発明のパネル型スピーカは、その振動板が薄型表示装置の表示パネルに固定されたエキサイタに対して着脱自在に結合される構成であるから、振動板を表示パネルから取り外してその内面の塵埃を拭き取ったり、傷がついたりした不良品の振動板を交換が可能になるという効果が奏される。
【００３４】
本第２の発明のパネル型スピーカは、エキサイタと振動板とがともに薄型表示装置のフレームに固定され、このフレームが薄型表示装置の表示パネルに着脱自在に結合される構成であるから、振動板をフレームと一緒に薄型表示装置の表示パネルから容易に取り外してその内面の塵埃を拭き取ったり、傷がついたりした不良品の振動板を交換することが可能にかつ容易になるという効果が奏される。また、組み立てのための労力と時間も大幅に短縮され、コストダウンが実現できるという利点もある。
【図面の簡単な説明】
【図１】本第１の発明のパネル型スピーカの一実施例の構成を薄型表示装置と共に示す部分正面図（Ａ）と部分断面図（Ｂ１  ，Ｂ２  ，Ｃ１  ，Ｃ２  ）である。
【図２】本第２の発明のパネル型スピーカの一実施例の構成を薄型表示装置と共に示す部分正面図（Ａ）と部分断面図（Ｂ，Ｃ）である。
【図３】図２のパネル型スピーカにおいて、エキサイタの前方の薄型表示装置のフレームに放音孔を形成したことに伴う音圧レベルの周波数特性に関する効果を示す実験データである。
【図４】本第２の発明のパネル型スピーカの他の実施例の構成を薄型表示装置と共に示す部分正面図（Ａ）と部分断面図（Ｂ，Ｃ）および背面図（Ｄ）である。
【図５】図４のパネル型スピーカにおいて、エキサイタの後方のカバーＵにも放音孔を形成したことに伴う音圧レベルの周波数特性に関する効果を示す実験データである。
【図６】塵埃の移動をさらに徹底して阻止するための防塵壁を図１の構成に追加した他の実施例の構成を示す部分断面図である。
【図７】塵埃の移動をさらに徹底して阻止するための防塵壁を図２の構成に追加した他の実施例の構成を示す部分断面図である。
【符号の説明】
Ｌ        薄型表示装置の表示パネル
Ｓ        表示パネルを囲むシャーシ
Ｆ        表示パネルに着脱自在に取付けられるフレーム
Ｅ        パネル型スピーカのエキサイタ
Ｐ        薄型表示装置の透光性の平板を兼ねるパネル型スピーカの振動板
ｂ        ボイスコイルを保持するボビン
ｔ１，  ｔ２      振動伝達体
Ｑ１，  Ｑ２      結合部材
ｃ  ，ｑ      クッション
Ｇ，ｇ      取付け金具
ｈ１          ポスト
ｈ２          取付け板
ｓ，ｊ      ネジ
ｗ        防塵壁
Ｕ        保護カバー
ｒ        放音孔
【図１】
2004312643.tif 000003
【図２】
2004312643.tif 000004
【図３】
2004312643.tif 000005
【図４】
2004312643.tif 000006
【図５】
2004312643.tif 000007
【図６】
2004312643.tif 000008
【図７】
2004312643.tif 000009